(57)【要約】【課題】  入力手段の限られている通信装置からデータ保存先の通信装置へデータ転送する際の保存の設定方法を簡便にする。【解決手段】  通信端末機器は送信データに相関がある場合、相関を示すデータを作成し、送信データと共に送信する手段をもち、相関データを送信する際には、指定されたアドレスにデータを送信する。保存先となる通信機器は、相関を示すデータを受信する際、相関データの保存領域を保存装置に予約し、そのアドレスを通信端末に通知し、前記のアドレス宛に受信したデータを保存する。 【選択図】  図１
2006050400.tif 000002
【特許請求の範囲】
【請求項１】
少なくともデータを入出力する手段と、前記入力データを記憶する手段と、記憶されたデータを読み出す手段と、を有する通信装置であって、
記憶されたデータに相関がある場合、データ同士に相関があることを示す付加データを作成する手段と、
受信した送信先指定アドレス情報を用いて前記アドレスにデータを送信する手段と、を有することを特徴とする通信装置。
【請求項２】
少なくともデータを入出力する手段と、前記入力データを記憶する手段と、記憶されたデータを読み出す手段と、を有する通信装置であって、
受信した前記付加データに示されたデータの相関に基づいて記憶領域を予約する手段と、
前記予約した記憶領域のアドレスを送信する手段と、
前記アドレス宛に送信されたデータを記憶する手段と、を有することを特徴とする通信装置。
【請求項３】
請求項２において、
前記アドレスを送信する手段として、データの送受信を電子メールで行う手段を有する通信装置を介して前記アドレスを送信する手段と、を有することを特徴とする通信装置。
【請求項４】
少なくとも前記請求項１に記載の通信装置と、前記請求項２に記載の通信装置によって構成されることを特徴とする通信システム。
【発明の詳細な説明】
【技術分野】
【０００１】
本発明は通信装置及び通信システムに関するものである。
【背景技術】
【０００２】
従来、特許文献１のように、撮像装置に無線受信インターフェイスを備え、通信ネットワークに接続された記憶装置に、一時記憶用のデータベースを介して撮影データを送信、恒久記憶させる方法が提案されている。また、特許文献２のように、異なる解像度の画像データを入力装置から送信相手に送信する技術も提案されている。
【０００３】
前記のデータ送信方法は、例えば、通信端末装置（ＳＴＡ）はアクセスポイント（ＡＰ）を介してインターネットに接続し、インターネットに接続されるサーバにＳＴＡのデータを転送して保存をする、というような構成をとる無線ＬＡＮシステムにも適用できる。また、携帯電話システムなどにも適用することができる。
【特許文献１】特登録３２７３１９２号
【特許文献２】特開平１０−２３３８６０号公報
【発明の開示】
【発明が解決しようとする課題】
【０００４】
前記のような保存方法を行おうとすると、通信端末及び記憶装置への設定を行う必要が生じてくる。しかしながら、前記のような携帯端末機器に関しては、機器の小型さゆえに入力手段が限られている。携帯端末機器からデータ転送を行う際、保存場所を指定することは容易ではない。また、無線通信を用いるシステムにおいては、無線チャネルの状態変化が激しい場合がままあり、データ転送中のデータの破壊や通信が途切れることが生じやすい。このような場合において、データの再送信の必要が生じるが、保存先の指定を携帯端末から再設する事は非常に煩雑である。
【課題を解決するための手段】
【０００５】
以上の課題を克服する為に、ＳＴＡは送信するデータに関連があるデータに関しては関連データである旨の付加データを作成し、サーバにその付加データも送信する。サーバは付加データを受信する際、関連データが存在する場合には予めデータ保存領域を予約し、そのアドレスをＳＴＡに通知する。
【発明の効果】
【０００６】
本発明によれば、通信端末装置に保存されたデータに関連がある場合、関連データを送信する際にデータ同士の関連付けを関連付けデータを作成して送信することにより、予約されたアドレスに関連データを送信することができる。
【発明を実施するための最良の形態】
【０００７】
（実施例１）
図１に本発明のシステム構成を示す。各ＡＰ（２５０−２５２）はネットワーク（６００）を介して認証サーバ（４００）とＩＳ（Information Storage）サーバ（３００）に接続される。ＳＴＡ（１００）は各ＡＰの通信可能範囲を移動する。
【０００８】
次に各機器の構成について説明する。図２にＳＴＡ（１００）の構成を示す。ＳＴＡ（１００）は少なくとも、ＳＴＡ（１００）を制御するためのＣＰＵ（中央演算処理装置、１０１）と、ＳＴＡ（１００）を動作させるためのプログラム格納のためのＲＯＭ（１０５）と、プログラムを展開するためのＲＡＭ（１０４）と、無線ＬＡＮカード（１１０）のインターフェイスとなるＰＣＭＣＩＡ制御部（１０７）と、無線ＬＡＮカード（１１０）を持つ。無線ＬＡＮカード（１１０）は送受信アンテナ（１１１）と、搬送波信号を送受信する送受信（１１２）と、データ信号をベースバンド信号に変換する変復調部と（１１３）、変復調部からのデータ信号とＰＣＭＣＩＡ制御部（１０７）のインターフェイスとなり、データをパケット形式に変換する無線ＬＡＮカード制御部（１１４）、ＳＴＡ（１００）に通信パラメータを設定、あるいはデータ入力するための入力装置（１０２）、データ保存用のＨＤＤ（１０６）と、を持つ。また、その確認用の表示装置（１０３）を併せ持ってもよい。
【０００９】
図３にＡＰの構成を示す。ＡＰは少なくとも、ＡＰを制御するためのＣＰＵ（中央演算処理装置、２０１）と、ＡＰを動作させるためのプログラム格納のためのＲＯＭ（２０５）と、プログラムを展開するためのＲＡＭ（２０４）と、無線ＬＡＮカード（２１０）のインターフェイスとなるＰＣＭＣＩＡ制御部（２０７）と、無線ＬＡＮカード（２１０）を持つ。無線ＬＡＮカード（２１０）は送受信アンテナ（２１１）と、搬送波信号を送受信する送受信（2１２）と、データ信号をベースバンド信号に変換する変復調部と（２１３）、変復調部からのデータ信号とＰＣＭＣＩＡ制御部（２０７）のインターフェイスとなり、データをパケット形式に変換する無線ＬＡＮカード制御部（２１４）と、を持つ。また、ＡＰに通信パラメータを設定するための入力装置（２０２）、その確認用の表示装置（２０３）、データ保存用のＨＤＤ（２０６）とを併せ持ってもよい。
【００１０】
図４に認証サーバの構成を示す。認証サーバは少なくとも、認証サーバを制御するためのＣＰＵ（中央演算処理装置、（３０１）と、認証サーバを動作させるためのプログラム格納のためのＲＯＭ（３０５）と、プログラムを展開するためのＲＡＭ（３０４）と、データ保存用のＨＤＤ（３０６）と、ネットワークインターフェイスとしてＥＴＨＥＲネット接続装置（３０８）を持つ。また、認証サーバに通信パラメータを設定するための入力装置（３０２）、その確認用の表示装置（３０３）を併せ持ってもよい。
【００１１】
図５にＩＳサーバ（４００）の構成を示す。ＩＳサーバは少なくとも、ＩＳサーバを制御するためのＣＰＵ（中央演算処理装置、４０１）と、ＩＳサーバを動作させるためのプログラム格納のためのＲＯＭ（４０５）と、プログラムを展開するためのＲＡＭ（４０４）と、データ保存用のＨＤＤ（４０６）と、ネットワークインターフェイスとしてＥＴＨＥＲネット接続装置（４０８）を持つ。また、ＩＳサーバに通信パラメータを設定するための入力装置（４０２）、その確認用の表示装置（４０３）を併せ持ってもよい。
【００１２】
図６では、ＳＴＡ（１００）がＡＰ０（２５０）と通信を開始し、ＩＳサーバ（４００）に対してデータ転送を行う最の動作シーケンスについて説明する。Ｓ１０１において、ＳＴＡ０（１００）はＡＰ０（２５０）からビーコンフレームを受信し、Ｓ１０２において無線接続を行う。Ｓ１０３において、ＡＰ０（２５０）はＳＴＡ（１００）の機器認証要求を認証サーバ(３００)に対して行う。Ｓ１０４において、認証サーバ（３００）は機器認証結果の通知をＡＰ０（２５０）に対して通知し、認証許可が下りればＳ１０５においてＡＰ０（２５０）はＳＴＡ（１００）に接続許可を与える。Ｓ１０６においてＳＴＡ（１００）はＡＰ０（２５０）に対してユーザ認証開始要求を出し、Ｓ１０７においてＡＰ０（２５０）からＳＴＡ（１００）への応答があると、Ｓ１０８において、ＳＴＡ（１００）はユーザ名とパスワードをＡＰ０（２５０）を介して認証サーバ(３００)に通知する。
【００１３】
Ｓ１０９において認証サーバ（３００）はＳＴＡ（１００）にユーザ名とパスワードの認証結果通知を行う。本実施例においては通信上の秘匿性を確保するためにＷＥＰキーを用いる。Ｓ１１０において、ＳＴＡ（１００）はＡＰ０（２５０）を介して認証サーバ（３００）にＷＥＰキーを通知し、Ｓ１１１において、認証サーバ（３００）はＡＰ０（２５０）を介してＳ１１１にＷＥＰキーの設定応答をＳＴＡ（１００）に行うことで、ＳＴＡ（１００）とＡＰ０（２５０）の無線区間の秘匿性が確保される。次にＳ１１２において、ＳＴＡは入力装置（１０２）を用いてあるデータをＨＤＤ（１０６）に保存する。Ｓ１１３において、ＳＴＡ（１００）はＨＤＤ（１０６）に保存されたデータの関連付けを行う。
このデータ関連付けは、図７に示されるようなデータ形式を用いて行われる。Ｓ１１２、Ｓ１１３は本図においてはＳ１１１の後のステップであるが、Ｓ１１１以前のステップにおいて実行しても支障はない。Ｓ１１４において、ＳＴＡ（１００）はＩＳサーバ（４００）に保存する所望のデータを送信し、Ｓ１１５において、ＩＳサーバ（４００）は受信したデータを保存する。Ｓ１１６において、ＩＳサーバ（４００）は表１に示されるデータを用いて先に受信したデータと関連するデータの保存領域を予約する。Ｓ１１７において、ＩＳサーバ（４００）はＳＴＡ（１００）にデータ保存完了応答を行い、Ｓ１１８において、ＩＳサーバ（４００）は関連データの保存先アドレスをＳＴＡ（１００）に通知する。Ｓ１１９において、ＳＴＡ（１００）はＩＳサーバ（４００）の保存先アドレスに関連データを送信し、Ｓ１２０において、ＩＳサーバ（４００）は受信データを保存する。
【００１４】
図８に、Ｓ１１６において、図７の関連付けデータを用いてＩＳサーバ（４００）が関連データの保存先を予約する手順のフローチャート、を示す。本実施例においてはＩＳサーバ（４００）は保存領域を予約した後、保存先の相対アドレスをＳＴＡに通知する。Ｓ２０１において、ＩＳサーバ（４００）はＳＴＡ（１００）から送信データと関連付けデータを受信し、ＲＡＭ（４０４）に一時保存する。Ｓ２０２において、ＩＳサーバは関連付けデータ情報を読み出す。Ｓ２０３において、関連付けデータに、先に受信したデータと関連するデータを今後受信するかどうかを判定する。図７の形式のデータを用いるとすれば、第４列目の情報を元に判断する。Ｓ２０３において、関連データが無い場合には終了となり、関連データがある場合には、Ｓ２０４において、ＩＳサーバ（４００）は関連付けデータの保存領域をＨＤＤ（４０６）に予約する。Ｓ２０５において、ＩＳサーバ（４００）はＳＴＡ（１００）からの関連データを連続して受信する場合には、Ｓ２０８において、ＩＳサーバ（４００）は予約済みの保存領域の相対アドレスをＳＴＡに通知する。
【００１５】
Ｓ２０５において、関連データを連続受信しない場合、Ｓ２０６においてＳＴＡ（１００）からの送信再開された場合にはＳ２０８のステップへ進み、送信再開されない場合には、Ｓ２０７において、一定時間経過後ＳＴＡ（１００）からの送信データがある場合にはＳ２０８のステップへ進み、送信データが無い場合には終了となる。Ｓ２０９においては、ＳＴＡ（１００）はＳ２０８において受信した相対アドレスに対して残りの関連データを送信してＩＳサーバ（４００）は受信データを保存して、終了する。
【００１６】
（実施例２）
本実施例においては、ＩＳサーバ（４００）は保存領域を予約した後、保存先の絶対アドレスをＳＴＡ（１００）に通知した後、ＩＳサーバ（４００）が絶対アドレスを相対アドレスに変換する。本実施例では機器構成などは第一の実施例と同様である。図９に、Ｓ１１６において、図７の関連付けデータを用いてＩＳサーバ（４００）が関連データの保存先を予約する手順のフローチャートを示す。Ｓ３０１において、ＩＳサーバ（４００）はＳＴＡ（１００）から送信データと関連付けデータを受信し、ＲＡＭ（４０４）に一時保存する。Ｓ３０２において、ＩＳサーバは関連付けデータ情報を読み出す。Ｓ３０３において、関連付けデータに、先に受信したデータと関連するデータを今後受信するかどうかを判定する。Ｓ３０３において、関連データが無い場合には終了となり、関連データがある場合には、Ｓ３０４において、ＩＳサーバ（４００）は関連付けデータの保存領域をＨＤＤ（４０６）に予約する。Ｓ３０５において、ＩＳサーバ（４００）はＳＴＡ（１００）からの関連データを連続して受信する場合には、Ｓ３０８において、ＩＳサーバ（４００）は予約済みの保存領域の絶対アドレスをＳＴＡ（１００）に通知する。
【００１７】
Ｓ３０５において、関連データを連続受信しない場合、Ｓ３０６においてＳＴＡ（１００）からの送信再開された場合にはＳ３０８のステップへ進み、送信再開されない場合には、Ｓ３０７において、一定時間経過後ＳＴＡ（１００）からの送信データがある場合にはＳ３０８のステップへ進み、送信データが無い場合には終了となる。Ｓ３０９においては、ＳＴＡ（１００）はＳ３０８において受信した絶対アドレスに対して残りの関連データを送信してＩＳサーバ（４００）は受信データを保存する。Ｓ３１０において、ＩＳサーバ（４００）は保存したデータのアドレスを絶対アドレスに変換し、終了する。
【００１８】
（実施例３）
本実施例においては、第一または第二の実施例において、関連データの保存先を通知する手段にメールサーバを用いる。
【００１９】
図１０に本発明のシステム構成を示す。図１に加え、メールサーバ（５００）がネットワーク（６００）に接続されている。
【００２０】
図１１にメールサーバ（５００）の構成を示す。メールサーバは少なくとも、メールサーバを制御するためのＣＰＵ（中央演算処理装置、４０１）と、メールサーバを動作させるためのプログラム格納のためのＲＯＭ（５０５）と、プログラムを展開するためのＲＡＭ（５０４）と、データ保存用のＨＤＤ（５０６）と、ネットワークインターフェイスとしてＥＴＨＥＲネット接続装置（５０８）を持つ。また、メールサーバに通信パラメータを設定するための入力装置（５０２）、その確認用の表示装置（５０３）を併せ持ってもよい。
【００２１】
図１２では、ＳＴＡ（１００）がＡＰ０（２５０）と通信を開始し、ＩＳサーバ（４００）にデータ転送する際において、予約アドレスをＳＴＡ（１００）に通知するのにメールサーバ（５００）を用いた動作シーケンスについて説明する。Ｓ４０１において、ＳＴＡ０（１００）はＡＰ０（２５０）からビーコンフレームを受信し、Ｓ４０２において無線接続を行う。Ｓ４０３において、ＡＰ０（２５０）はＳＴＡ（１００）の機器認証要求を認証サーバ(３００)に対して行う。Ｓ４０４において、認証サーバ（３００）は機器認証結果の通知をＡＰ０（２５０）に対して通知し、認証許可が下りればＳ４０５においてＡＰ０（２５０）はＳＴＡ（１００）に接続許可を与える。Ｓ４０６においてＳＴＡ（１００）はＡＰ０（２５０）に対してユーザ認証開始要求を出し、Ｓ４０７においてＡＰ０（２５０）からＳＴＡ（１００）へその応答があると、Ｓ４０７において、ＳＴＡ（１００）はユーザ名とパスワードをＡＰ０（２５０）を介して認証サーバ(３００)に通知する。Ｓ４０８において認証サーバ（３００）はＳＴＡ（１００）にユーザ名とパスワードの認証結果通知を行う。本実施例においては通信上の秘匿性を確保するためにＷＥＰキーを用いる。Ｓ４１０において、ＳＴＡ（１００）はＡＰ０（２５０）を介して認証サーバ（３００）にＷＥＰキーを通知し、Ｓ４１１において、認証サーバ（３００）はＡＰ０（２５０）を介してＳ４１１にＷＥＰキーの設定応答をＳＴＡ（１００）に行うことで、ＳＴＡ（１００）とＡＰ０（２５０）の無線区間の秘匿性が確保される。Ｓ４１２において、ＳＴＡ（１００）は入力装置（１０２）を用いてあるデータをＨＤＤ（１０６）に保存する。
【００２２】
Ｓ４１３において、ＳＴＡ（１００）はＨＤＤ（１０６）に保存されたデータの関連付けを行う。このデータ関連付けは、図７に示されるようなデータ形式を用いて行われる。Ｓ４１２、Ｓ４１３は本図においてはＳ４１１の後のステップであるが、Ｓ４１１以前のステップにおいて実行しても支障はない。Ｓ４１４において、ＳＴＡ（１００）はＩＳサーバ（４００）に保存する所望のデータを送信し、Ｓ４１５において、ＩＳサーバ（４００）は受信したデータを保存する。Ｓ４１６において、ＩＳサーバ（４００）は図７に示されるデータを用いて先に受信したデータと関連するデータの保存領域を予約する。Ｓ４１７において、ＩＳサーバ（４００）はＳＴＡ（１００）にデータ保存完了応答を行い、Ｓ４１８において、ＩＳサーバ（４００）は関連データの保存先アドレスをメールサーバ（４００）に通知し、メールサーバはＳＴＡ（１００）にメールを送信することで保存先アドレスを通知する。Ｓ４１９において、ＳＴＡ（１００）はＩＳサーバ（４００）の保存先アドレスに関連データを送信し、Ｓ４２０において、ＩＳサーバ（４００）は受信データを保存する。
【００２３】
以上説明したように、上記実施例によれば、通信端末装置、たとえばデジタルカメラに無線ＬＡＮ等の通信機能を持つような通信端末装置において、連写画像データや原画像データとサムネイル画像データの様に保存された画像データに関連がある場合、関連しているデータ同士の付けを示す関連付けデータを作成して原画像データとともに送信することにより、関連している画像データを保存するための予約されたアドレスを受信し、予約アドレスに関連データを送信することができる。
【００２４】
また、通信端末装置からのデータと共に関連付け画像データを受信し、受信した画像データと関連する画像データの保存先アドレスを予約することにより、通信端末装置からの受信画像データの保存領域の指定に煩雑な操作を行う必要が無くなる。
【００２５】
また、予約した関連画像データの保存アドレスを通信端末に通知するのに、メールサーバを用いることによって、電子メールによる保存先アドレスの通知を可能にする。
【００２６】
さらに、画像データ保存を行う通信装置とメールサーバを一体型にすることによって、コストダウンを図ることができる。
【００２７】
また、通信端末と通信装置のシステムを持つことで画像データ送信中に画像データが破壊れた場合や、送信が途切れた場合等においても、先に送信した画像データと関連のある残りの画像データの送信先及び保存領域を最設定する必要が無い。
【００２８】
さらに、予約された保存先アドレスを通信端末に通知するのに、電子メールを用いて通知することができる。
【００２９】
またさらに、画像データを保存する通信装置とメールサーバを一体型にすることによってコストダウンを図ることができる。
【図面の簡単な説明】
【００３０】
【図１】本発明の第一の実施例における通信機器及び情報機器の全体構成図である。
【図２】無線ＬＡＮ端末（ＳＴＡ）の構成図である。
【図３】無線ＬＡＮアクセスポイント（ＡＰ）の構成図である。
【図４】認証サーバの構成図である。
【図５】Information Storage （ＩＳ）サーバの構成図である。
【図６】ＳＴＡからＩＳサーバへデータ転送する際のシーケンス図である。
【図７】ＳＴＡの送信データの関連付けを示すデータ形式の例である。
【図８】ＩＳサーバが関連付けデータを受信する際に関連データの保存領域の予約を行い、保存先アドレスを相対アドレスとしてＳＴＡに通知する際のフローチャートである。
【図９】ＩＳサーバが関連付けデータを受信する際に関連データの保存領域の予約を行い、保存先アドレスを絶対ドレスとしてＳＴＡに通知し、保存されたアドレスを相対アドレスに変換する際のフローチャートである。
【図１０】本発明の第三の実施例における通信機器及び情報機器の全体構成図である。
【図１１】メールサーバの構成図である。
【図１２】ＳＴＡからＩＳサーバへデータ転送する際に転送先アドレスを通知するのにメールサーバを用いた場合のシーケンス図である。
【符号の説明】
【００３１】
１００  通信端末装置
２５０  アクセスポイント
２５１  アクセスポイント
２５２  アクセスポイント
３００  ＩＳサーバ
４００  認証サーバ
６００  ネットワーク
【図１】
2006050400.tif 000003
【図２】
2006050400.tif 000004
【図３】
2006050400.tif 000005
【図４】
2006050400.tif 000006
【図５】
2006050400.tif 000007
【図６】
2006050400.tif 000008
【図７】
2006050400.tif 000009
【図８】
2006050400.tif 000010
【図９】
2006050400.tif 000011
【図１０】
2006050400.tif 000012
【図１１】
2006050400.tif 000013
【図１２】
2006050400.tif 000014